(57)【要約】【課題】重量のある携帯形電子機器を、引っ掛かり部や出っ張り部といった部材を設けずに、ユーザが片手で持ちながら使用する。【解決手段】携帯形電子機器が、表示装置１，４を内蔵した第１及び第２のハウジング２，５を有するディスプレイユニット３及び６と、ディスプレイユニット６を、ディスプレイユニット３に対して、ディスプレイユニット３の表示装置１を覆う閉じ位置と、開き角度が１８０度未満の所定角度である位置との間で回動可能に連結するヒンジ機構７と、ヒンジ軸に連結されるブラケット部が一側面部にディスプレイユニット３の全幅方向に亘って延在して形成されてディスプレイユニット３及び６に対して電源を供給するバッテリを内蔵するケース状のバッテリ部８とを備え、このバッテリ部８が突出する形状を有する。【選択図】図１
2008242729.tif 000002
【特許請求の範囲】
【請求項１】
表示装置を内蔵した第１のハウジングを有する第１のディスプレイユニットと、
表示装置を内蔵した第２のハウジングを有する第２のディスプレイユニットと、
この第１のハウジングに固定される第１のブラケットと、この第２のハウジングに固定される第２のブラケットと、これらの第１のブラケット及び第２のブラケットに連結されるヒンジ軸とを有し、前記第２のディスプレイユニットを、前記第１のディスプレイユニットに対して、前記第１のディスプレイユニットの表示装置を覆う閉じ位置と、開き角度が１８０度未満の所定角度である位置との間で回動可能に連結するヒンジ機構と、
前記ヒンジ軸に連結されるブラケット部が一側面部に前記第１のディスプレイユニットの全幅方向に亘って延在して形成されて、前記第１のディスプレイユニット及び前記第２のディスプレイユニットに対して電源を供給するバッテリを内蔵するバッテリ部と、を備え、
このバッテリ部が突出する形状を有することを特徴とする携帯形電子機器。
【請求項２】
前記ヒンジ機構は、前記第２のディスプレイユニットを、前記第１のディスプレイユニットに対して、前記第２のディスプレイユニットの第２のハウジングの下縁部が前記バッテリ部の上面部に当接する位置まで回動可能であり、前記ヒンジ機構がこの位置に回動した状態において、前記第２のディスプレイユニットの背面部と、前記バッテリ部の上面部とによって形成される空隙に指が挿入されることを特徴とする請求項１記載の携帯形電子機器。
【請求項３】
パソコン本体を内蔵するとともに、キーボードを配置した第１のハウジングを有する本体部筐体と、
表示装置を内蔵した第２のハウジングを有する表示部筐体と、
この第１のハウジングに固定される第１のブラケットと、この第２のハウジングに固定される第２のブラケットと、これらの第１のブラケット及び第２のブラケットに連結されるヒンジ軸とを有し、前記表示部筐体を、前記本体部筐体に対して、前記本体部筐体のキーボードを覆う閉じ位置と、開き角度が１８０度未満の所定角度である位置との間で回動可能に連結するヒンジ機構と、
前記ヒンジ軸に連結されるブラケット部が一側面部に前記本体部筐体の全幅方向に亘って延在して形成されて、前記パソコン本体と前記表示部筐体に対して電源を供給するバッテリを内蔵するバッテリ部と、を備え、
このバッテリ部が突出する形状を有することを特徴とする携帯形電子機器。
【請求項４】
前記ヒンジ機構は、前記表示部筐体を、前記本体部筐体に対して、前記表示部筐体の第２のハウジングの下縁部が前記バッテリ部の上面部に当接する位置まで回動可能であり、前記ヒンジ機構がこの位置に回動した状態において、前記表示部筐体の背面部と、前記バッテリ部の上面部とによって形成される空隙に指が挿入されることを特徴とする請求項３記載の携帯形電子機器。
【請求項５】
前記バッテリ部の上面部と前記バッテリ部の下面部とがそれぞれ指と掌とによって掴まれることを特徴とする請求項１又は請求項２記載の携帯形電子機器。
【発明の詳細な説明】
【技術分野】
【０００１】
本発明は、見開き型の２つの画面を有する電子ブックや持ち運び可能なノートパソコンなどに用いて好適な携帯形電子機器に関する。
【背景技術】
【０００２】
携帯形の電子機器である電子ブックは、表示装置を内蔵したハウジングを有する２つのディスプレイユニットと、これらの２つのディスプレイユニットを折り畳み可能に連結するヒンジ機構とを備えている。２つのディスプレイユニットを見開きにした状態にしてユーザが画面上の内容を読む場合、ユーザは２つのディスプレイユニットの背面部を掌と指とによって支える姿勢をとる。
【０００３】
ヒンジ機構を有する端末装置としてはノートパソコンがある。ノートパソコンは、表示装置を内蔵したハウジングを有する画面部筐体と、パソコン本体を内蔵しその上にキーボードを配置したハウジングを有する本体部筐体と、これらの画面部筐体及び本体部筐体を開閉可能に連結するヒンジ機構とを備えている。ノートパソコンをユーザが片手で持ちながら操作する場合、本体部筐体をユーザは片方の腕の上に載せ、かつ本体部筐体の一部を手首から先の掌や指によって掴み、この姿勢で他方の手を用いてキーボードへの入力を行う。
【０００４】
電子ブックやノートパソコンといった携帯形電子機器の画面を隠さず、かつこの携帯形電子機器を床や地面などに落下させないで、片手でハンドリングするためには携帯形電子機器の持ち方は限られる。また、ノートパソコンを高機能化させるためには、ハードディスク駆動装置などのメディアの駆動装置や容量の大きいバッテリを本体部筐体の内部に設ける必要があり、ノートパソコンの重量が増大する。そこで、重い部品を内蔵することによって携帯形電子機器の重量が増える場合には、携帯形電子機器の本体に、引っ掛かり部や出っ張り部を取り付けて、ユーザが片手で引っ掛かり部や出っ張り部を掴み、この状態で、読書姿勢をとり、あるいはノートパソコンを水平な姿勢に保ってパソコン作業を行う。
【０００５】
従来、電子ブックに関しては、筒状の綴じ部分で開閉可能に連結された２つの筐体にそれぞれ液晶表示画面を設けることによって、表示画面を保持する筐体の厚さを必要以上に厚くする必要をなくし、書籍と違和感なく使用することのできる電子ブックが提案されている（特許文献１参照）。ヒンジを有する構造に関しては、記憶媒体から任意のページの抽出を行って敏速に表示する操作スイッチを設け、さらに片手保持で安定して読書が出来るように角度を調節する装置を設けた携帯用電子図書の構造が提案されている（特許文献２参照）。
【特許文献１】特開２００１−１００６６７号公報
【特許文献２】特開２００５−１０７４６７号公報
【発明の開示】
【発明が解決しようとする課題】
【０００６】
しかしながら、引っ掛かり部や出っ張り部といった部材を携帯形電子機器に取り付けることは、携帯形電子機器の更なる重量の増加を招き、携帯形電子機器の美観上及びコスト面から不利であるという不具合がある。
【０００７】
特許文献１では、本体の厚みを削減する、あるいは増加させない構造のみが言及されており、片手でハンドリングするための構造はこの特許文献１には開示されていない。特許文献２に記載の携帯用電子図書は、片手で保持して半開きの状態で使用されるものであるが、ある程度の重さのある電子機器を片手で保持した状態で取り扱う手法については開示されていない。
【０００８】
そこで本発明は、上記の課題に鑑み、引っ掛かり部や出っ張り部といった部材を携帯形電子機器に設けずに、重量のある携帯形電子機器をユーザが片手で持ちながら使用することが可能な携帯型電子機器を提供することを目的とする。
【課題を解決するための手段】
【０００９】
本発明の一態様によれば、表示装置を内蔵した第１のハウジングを有する第１のディスプレイユニットと、表示装置を内蔵した第２のハウジングを有する第２のディスプレイユニットと、この第１のハウジングに固定される第１のブラケットと、この第２のハウジングに固定される第２のブラケットと、これらの第１のブラケット及び第２のブラケットに連結されるヒンジ軸とを有し、前記第２のディスプレイユニットを、前記第１のディスプレイユニットに対して、前記第１のディスプレイユニットの表示装置を覆う閉じ位置と、開き角度が１８０度未満の所定角度である位置との間で回動可能に連結するヒンジ機構と、前記ヒンジ軸に連結されるブラケット部が一側面部に前記第１のディスプレイユニットの全幅方向に亘って延在して形成されて、前記第１のディスプレイユニット及び前記第２のディスプレイユニットに対して電源を供給するバッテリを内蔵するバッテリ部と、を備え、このバッテリ部が突出する形状を有することを特徴とする携帯形電子機器が提供される。
【００１０】
また、本発明の別の一態様によれば、パソコン本体を内蔵するとともに、キーボードを配置した第１のハウジングを有する本体部筐体と、表示装置を内蔵した第２のハウジングを有する表示部筐体と、この第１のハウジングに固定される第１のブラケットと、この第２のハウジングに固定される第２のブラケットと、これらの第１のブラケット及び第２のブラケットに連結されるヒンジ軸とを有し、前記表示部筐体を、前記本体部筐体に対して、前記本体部筐体のキーボードを覆う閉じ位置と、開き角度が１８０度未満の所定角度である位置との間で回動可能に連結するヒンジ機構と、前記ヒンジ軸に連結されるブラケット部が一側面部に前記本体部筐体の全幅方向に亘って延在して形成されて、前記パソコン本体と前記表示部筐体に対して電源を供給するバッテリを内蔵するバッテリ部と、を備え、このバッテリ部が突出する形状を有することを特徴とする携帯形電子機器が提供される。
【発明の効果】
【００１１】
本発明によれば、引っ掛かり部や出っ張り部といった部材を携帯形電子機器に設けずに、また、特別な構造を携帯形電子機器に追加して設けることなしに、重量のある携帯形電子機器を片手でハンドリングできる。
【発明を実施するための最良の形態】
【００１２】
以下、本発明の実施形態に係る携帯形電子機器について、図面を参照しながら説明する。尚、各図において同一箇所については同一の符号を付すとともに、重複した説明は省略する。
【００１３】
（第１の実施形態）
本発明の第１の実施形態に係る携帯形電子機器は、電子ブックに用いられる。図１は見開きにされた電子ブックを横方向から見た矢視図である。この電子ブックは、表示画面１を内蔵したハウジング２を有する端末ベース部３と、表示画面４を内蔵したハウジング５を有する端末トップ部６と、この端末トップ部６を、端末ベース部３に対して、端末ベース部３の表示画面１を覆う閉じ位置と、端末ベース部３及び端末トップ部６間の開き角度が１８０度未満の所定角度である位置との間で回動可能に連結する回転ヒンジ部７と、これらの端末ベース部３及び端末トップ部６に対して電源を供給するバッテリを内蔵するケース状のバッテリ部８とを備えている。端末ベース部３は第１のディスプレイユニットであり、端末トップ部６は第２のディスプレイユニットである。端末ベース部３及び端末トップ部６の上に表示される内容は縦方向であっても横方向であってもよい。
【００１４】
また、図２は本実施形態に係る携帯形電子機器を有する電子ブックの斜視図である。端末ベース部３のハウジング２の下縁部にはブラケット９、１０が固定されており、端末トップ部６のハウジング５の下縁部にもブラケット１１、１２が固定されている。ブラケット９、１０はハウジング２の幅方向に互いに離間して配置されており、ブラケット１１、１２もハウジング５の幅方向に互いに離間して配置されている。ヒンジ軸１３はこれらのブラケット９、１０及びブラケット１１、１２を貫通している。また、ブラケット９ないしは１２及びヒンジ軸１３によって、ヒンジ機構としての回転ヒンジ部７が構成されている。
【００１５】
バッテリ部８は突出する形状を有する。図３は折り畳まれた状態での電子ブックの背面斜視図である。電子ブックの２つの画面部が閉じられた場合、バッテリ部８は、回転ヒンジ部７から外側へ突き出た外観を呈する。バッテリ部８の一側面部は湾曲になるように形成されている。この一側面部にはヒンジ軸１３に連結されるブラケット部１４が端末ベース部３の全幅方向に亘って延在して形成されている。すなわち、バッテリ部８の長手方向に沿う一端部にブラケット部１４が形成されているといえる。
【００１６】
また、回転ヒンジ部７は、端末トップ部６を、端末ベース部３に対して、端末トップ部６のハウジング５の下縁部５ａがバッテリ部８の上面部８ａに当接する位置にまで回動させることができ、回転ヒンジ部７がこの位置まで回動した状態において、端末トップ部６の背面部６ａと、バッテリ部８の上面部８ａとによって形成される空隙１５（図１）に指が挿入されるようになっている。これにより、端末ベース部３と端末トップ部６とは、これらの端末ベース部３及び端末トップ部６によってなされる開き角度が１８０度になるまで開くことがなくなって、指を差し入れるための空間を確保できる。
【００１７】
このような構成の電子ブックをユーザが片手で持って画面の内容を読む場合には、図４に示すように、ユーザは、端末ベース部３と端末トップ部６とを見開きにした状態で、バッテリ部８の上面部８ａと下面部８ｂとをそれぞれ指と掌とによって掴み、この掴んだ状態で画面の内容を読む。従って、ユーザは、バッテリ部８を掴むことができるため、特別な構造を電子ブックに追加して設けることなしに、２つの画面を隠さず、かつ電子ブックが床や地面に落下しないようにこの電子ブックを片手で保持することができる。このように、本発明によれば、持ち方にかかわらず、ユーザは携帯形電子機器を片手でハンドリングすることができるようになる。
【００１８】
手首から先の部分（ハンド部１６）だけを用いて電子ブックを支えることが厳しい場合には、手首から肘までの腕の部分（アーム部１７）を使って電子ブックを支える。本実施形態に係る携帯形電子機器によれば、手首から肘にかけてのアーム部１７に電子ブックを載せて画面を見ることができるため、ユーザは重量がある電子ブックでも容易にハンドリングを行える。また、ユーザがバッテリを掴めるため、電子ブックの重みを支えるための引っ掛かり部や出っ張り部をこの電子ブックに取り付けずに電子ブックをハンドリングできるようになる。
【００１９】
（第２の実施形態）
本発明の第２の実施形態に係る携帯形電子機器は、携帯形のノートパソコンに用いられる。図５は本実施形態に係る携帯形電子機器を有するノートパソコンを横方向からみた矢視図である。このノートパソコンは、図示しないパソコン本体を内蔵するとともに、キーボード１８を配置したハウジング１９を有する本体部筐体２０と、表示画面部２１を内蔵したハウジング２２を有する画面部筐体２３と、この画面部筐体２３を、本体部筐体２０に対して、本体部筐体２０のキーボード１８を覆う閉じ位置と、本体部筐体２０及び画面部筐体２３間の開き角度が１８０度未満の所定角度である位置との間で回動可能に連結するヒンジ機構２４と、パソコン本体と画面部筐体２３に対して電源を供給するバッテリを内蔵するケース状のバッテリ部８とを備えている。このバッテリ部８は突出する形状を有する。突出する方向は例えば本体部筐体２０の奥行き方向である。図５に示す符号のうちの上述した符号と同じ符号を有する要素はそれらと同じものである。
【００２０】
このノートパソコンのヒンジ機構２４は、ハウジング１９に固定される図示しないブラケットと、ハウジング２２に固定される図示しないブラケットと、これらのブラケットに連結されるヒンジ軸２５とを有する。バッテリ部８の一側面部は湾曲形成されており、この一側面部にはヒンジ軸２５に連結されるブラケット部２６が本体部筐体２０の全幅方向に亘って延在して形成されている。
【００２１】
このような構成のノートパソコンをユーザが片手で持ちながら操作する場合、ユーザは片方の腕の上にノートパソコンを載せ、かつバッテリ部８を指と掌とによって掴み、この掴んだ状態で他方の手を用いてキーボード１８の操作を行う。従って、特別な構造をこのノートパソコンに追加して設けることなしに、画面を隠さず、かつノートパソコンが床やなどに落下しないようにノートパソコンを片手で保持することができる。このように、ノートパソコンの持ち方にかかわらず、ユーザはノートパソコンを片手でハンドリングすることができる。また、ノートパソコンが重く、ユーザが手首から先の部分だけを用いてノートパソコンを支えることが厳しい場合でも、ユーザは手首から肘にかけての腕の部分にノートパソコンを載せて画面を見ることができる。また、ユーザがバッテリ部８を掴めるため、ノートパソコンの重みを支えるための引っ掛かり部や出っ張り部をこのノートパソコンに取り付けずにハンドリングを行えるようになる。
【００２２】
バッテリはノートパソコンの重量を決める大きな要因となる部品であり、このバッテリはノートパソコンの重量バランスを決定する要因でもある。本実施形態に係る携帯形電子機器によれば、バッテリ部８が本体部筐体２０と画面部筐体２３との間に設けられているため、ノートパソコンのバランスが悪化せずに、ノートパソコンの操作性が安定するといえる。
【００２３】
また、バッテリが本体部筐体２０の後方に突き出して設けられているため、ハウジング１９内にバッテリパックを収納するためのバッテリ収納部を設けるスペースが不要となる。ノートパソコンの高機能化のために、本体部筐体２０には、メモリカードを差し込むためのカードスロットが設けられる。本体部筐体２０には、メディアの駆動装置のほかに、回路基板や、プラグ類及びボリウムといった機能部品も設けられる。バッテリから供給された電源から基板に必要な電圧値、電流値を生成する電源回路部が主なノイズ発生源であるため、配線が長い場合にはこの配線にノイズがのる。バッテリ部８が本体部筐体２０の外側に設けられることによって、バッテリが筐体内部に設けられる場合のノイズがなくなる。従って、このノートパソコンによれば、部品配置の点や配線の効率化の点からも有利であり、また、美観上の点からも有利であるといえる。
【００２４】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。本発明は、携帯型のゲーム機や、携帯電話機など、ユーザが片手で操作して使用する形態を有する各種の携帯形電子機器にも利用できる。
【図面の簡単な説明】
【００２５】
【図１】本発明の第１の実施形態に係る携帯形電子機器の矢視図である。
【図２】本発明の第１の実施形態に係る携帯形電子機器の斜視図である。
【図３】本発明の第１の実施形態に係る携帯形電子機器の背面斜視図である。
【図４】本発明の第１の実施形態に係る携帯形電子機器が片手でハンドリングされる姿勢を説明するための図である。
【図５】本発明の第２の実施形態に係る携帯形電子機器の矢視図である。
【符号の説明】
【００２６】
１，４…表示画面（表示装置）、２…ハウジング（第１のハウジング）、３…端末ベース部（第１のディスプレイユニット）、５…ハウジング（第２のハウジング）、５ａ…下縁部、６…端末トップ部（第２のディスプレイユニット）、６ａ…背面部、７…回転ヒンジ部（ヒンジ機構）、８…バッテリ部、８ａ…上面部、８ｂ…下面部、９，１０…ブラケット（第１のブラケット）、１１，１２…ブラケット（第２のブラケット）、１３，２５…ヒンジ軸、１４，２６…ブラケット部、１５…空隙、１６…ハンド部、１７…アーム部、１８…キーボード、１９…ハウジング（第１のハウジング）、２０…本体部筐体、２１…表示画面部（表示装置）、２２…ハウジング（第２のハウジング）、２３…画面部筐体、２４…ヒンジ機構。
【図１】
2008242729.tif 000003
【図２】
2008242729.tif 000004
【図３】
2008242729.tif 000005
【図４】
2008242729.tif 000006
【図５】
2008242729.tif 000007